(57)【要約】      （修正有）【課題】放送番組のデータを複数の記録装置にループ録画する際に、いずれかの記録装置が取り外された場合でもユーザが視聴を希望するデータが再生不能になるのを防止する。【解決手段】連続入力される放送番組のデータを、ＨＤＤ装置４１、４２のループ録画領域に、セグメント単位で順に上書き記録を繰り返すループ録画を行うテレビ１０であって、ＨＤＤ装置４１、４２を接続可能なハブ４０と、ＨＤＤ装置４１とＨＤＤ装置４２とが接続されている状態において、ＨＤＤ装置４２の接続を解除するとき、ＨＤＤ装置４１のセグメントに記録されているデータの付加情報と、ＨＤＤ装置４２のセグメントに記録されているデータの付加情報と、を比較し、この比較結果に応じて、ＨＤＤ装置４１のセグメントに、ＨＤＤ装置４２のセグメントに記録されているデータを転送処理する制御をする制御部３１と、を具備する。【選択図】図２
2013012857.tif 000002
【特許請求の範囲】
【請求項１】
連続入力される放送番組のデータを、記録装置に、セグメント単位で順に上書き記録を繰り返す録画装置であって、
複数の前記記録装置を接続可能な接続端子と、
第１の記録装置と第２の記録装置とが接続されている状態において、前記第２の記録装置の接続を解除するとき、前記第１の記録装置の複数のセグメントに記録されている各データの付加情報と、前記第２の記録装置の複数のセグメントに記録されている各データの付加情報とを比較し、この比較結果に応じて、前記第１の記録装置のセグメントに、前記第２の記録装置のセグメントに記録されているデータを記録する転送処理を制御する制御部と、を具備することを特徴とする。
【請求項２】
前記付加情報が、録画時間帯であり、
前記制御部が、前記第１の記録装置の録画時間帯が所定の第１時間帯のデータが記録されていたセグメントに、前記第２の記録装置の録画時間帯が所定の第２時間帯のセグメントのデータを前記転送処理することを特徴とする請求項１に記載の録画装置。
【請求項３】
前記所定の第１時間帯が、前記所定の第２時間帯よりも前の時間帯であることを特徴とする請求項２に記載の録画装置。
【請求項４】
前記付加情報が、チャンネル情報であり、
前記制御部が、前記第１の記録装置の所定の第１のチャンネルのデータが記録されていたセグメントに、前記第２の記録装置の所定の第２のチャンネルのセグメントのデータを前記転送処理することを特徴とする請求項１に記載の録画装置。
【請求項５】
前記付加情報が、録画時間帯を含み、
前記制御部が、所定の第２のチャンネルかつ所定の第２時間帯のセグメントのデータを前記転送処理することを特徴とする請求項４に記載の録画装置。
【請求項６】
記録装置のループ録画領域に、入力される放送番組のデータをセグメント単位で順に上書き記録を繰り返す録画装置の制御方法であって、
第１の記録装置と第２の記録装置とが接続されている状態において、前記第２の記録装置の接続を解除する指示が入力される工程と、
前記第１の記録装置の複数のセグメントに録画されているデータの付加情報と、前記第２の記録装置の複数のセグメントに録画されているデータの付加情報と、を比較する工程と、
比較結果に応じて、前記第１の記録装置のセグメントに、前記第２の記録装置のセグメントに記録されているデータを転送する工程と、を具備することを特徴とする。
【発明の詳細な説明】
【技術分野】
【０００１】
本発明の実施形態は、放送番組のデータを複数の記録装置にループ録画する録画装置および前記録画装置の制御方法に関する。
【背景技術】
【０００２】
テレビジョン放送のデジタル化にともない、ハードディスクドライブ装置（以下、「ＨＤＤ装置」という）等のデジタル記録装置が放送番組の録画装置として普及している。
【０００３】
そして、ＨＤＤ装置の記録容量の増大に伴い、同時に放送されている複数のチャンネルの番組を複数のチューナによって受信し、そのデータを全て録画する機能を備えた録画装置が登場している。この場合には、ＨＤＤ装置の記録容量を有効に利用するためにループ録画が行われる。ループ録画は、例えば１２時間の録画が可能な所定の容量のループ録画領域に録画を行い、録画時間が制限時間を超えると、古いデータを記録した領域を消去しながら、その領域に新しいデータを上書きする。
【０００４】
複数のＨＤＤ装置を接続可能な録画装置では、接続されている複数のＨＤＤ装置のうち、いずれかを、ユーザーが取り外してしまうことがある。すると、取り外されたＨＤＤ装置に記録されていたデータは再生不能となる。どのＨＤＤ装置に、どのチャンネル、またどの時間帯のデータが記録されているかをユーザーが把握することは容易ではない。このため、ユーザーが視聴を希望しているデータが再生不能となり、利便性が損なわれるおそれがあった。
【先行技術文献】
【特許文献】
【０００５】
【特許文献１】特許第４６３５０９８号明細書
【特許文献２】特開２００７−１４９２９８号公報
【発明の概要】
【発明が解決しようとする課題】
【０００６】
本発明の実施形態は、利便性のよい録画装置および利便性のよい録画装置の制御方法を提供することを目的とする。
【課題を解決するための手段】
【０００７】
本発明の一態様の録画装置は、連続入力される放送番組のデータを、記録装置に、セグメント単位で順に上書き記録を繰り返す録画装置であって、複数の前記記録装置を接続可能な接続端子と、第１の記録装置と第２の記録装置とが接続されている状態において、前記第２の記録装置の接続を解除するとき、前記第１の記録装置の複数のセグメントに記録されている各データの付加情報と、前記第２の記録装置の複数のセグメントに記録されている各データの付加情報とを比較し、この比較結果に応じて、前記第１の記録装置のセグメントに、前記第２の記録装置のセグメントに記録されているデータを記録する転送処理を制御する制御部と、を具備する。
【図面の簡単な説明】
【０００８】
【図１】第１実施形態のテレビの外観図である。
【図２】第１実施形態のテレビの構成図である。
【図３】第１実施形態のテレビのＨＤＤ装置の記録状態を説明するための説明図である。
【図４】第１実施形態のテレビのＨＤＤ装置の記録状態を説明するための説明図である。
【図５】第１実施形態のテレビのＨＤＤ装置の記録状態を説明するための説明図である。
【図６】第１実施形態のテレビの転送処理を説明するための説明図である。
【図７】第１実施形態のテレビのＨＤＤ装置の取り外しのときの処理の流れを説明するためのフローチャートである。
【図８】第１実施形態のテレビの映像表示部の表示画面を説明するための説明図である。
【図９】第２実施形態のテレビの転送処理を説明するための説明図である。
【図１０】第２実施形態のテレビの転送処理を説明するための説明図である。
【図１１】第３実施形態のテレビの映像表示部の表示画面を説明するための説明図である。
【発明を実施するための形態】
【０００９】
＜第１実施形態＞
以下、図面を参照しつつ、第１実施形態の録画装置であるテレビジョン放送受信装置（以下「テレビ」という）１０について説明する。
【００１０】
図１に示すように、テレビ１０は、主として薄型のキャビネット１１と、これを支持する支持台１２とから構成されている。キャビネット１１は、チューナ２３（図２参照）等の電子装置を格納する。また、キャビネット１１の正面中央部には液晶表示パネル等からなる映像表示部１３が配置され、両側面にはスピーカ１４が配置されている。
【００１１】
キャビネット１１の正面下部には、リモートコントローラ（リモコン）１５から無線送信された操作信号を受信するための受信部１６が設けられている。
【００１２】
テレビ１０は受信した各種の放送波の信号を処理し、内蔵されたＨＤＤ装置４１（図２参照）および接続端子１７を介して接続されたＨＤＤ装置４２にデータを録画する。
【００１３】
なお、録画装置は、テレビに限定されるものではなく、放送受信機能および録画制御機能を備えていれば、携帯電話またはパーソナルコンピュータ等でもよく、さらに映像表示部等を有しないＨＤＤレコーダー等の録画専用機であってもよい。また、放送受信機能は、空中を伝播してくる電波を受信するものに限らず、ケーブルまたはＩＰ（インターネット・プロトコル）網等のネットワークを介して配信される放送を受信するものでもよい。また、チューナ２３等をキャビネット１１とは別の筐体に格納し、筐体と接続されたキャビネット１１の映像表示部１３およびスピーカ１４に映像音声を出力してもよい。
【００１４】
次に、図２に示すように、テレビ１０は、アンテナ２１と接続される入力端子２２と、複数のチューナ２３Ａ〜２３Ｃからなるチューナユニット２４と、ＴＳ（Ｔｒａｎｓｐｏｒｔ  Ｓｔｒｅａｍ）処理部２５と、信号処理部２６と、グラフィック処理部２７と、ＯＳＤ（Ｏｎ  Ｓｃｒｅｅｎ  Ｄｉｓｐｌａｙ）信号生成部２８と、音声処理部２９と、映像処理部３０と、映像表示部１３と、スピーカ１４と、制御部３１と、受信部１６と、ＵＳＢ  Ｉ／Ｆ（３２）と、通信Ｉ／Ｆ（３３）と、ｉ．ＬＩＮＫ  Ｉ／Ｆ（３５）と、ＨＤＭＩ  Ｉ／Ｆ（３６）と、ハブ４０と、ハブ４０を介してＵＳＢ  Ｉ／Ｆ（３２）と接続された第１の記録装置であるＨＤＤ装置４１と、接続端子１７、３７、３８、３９と、を有する。
【００１５】
また、制御部３１は、ＲＯＭ（Ｒｅａｄ  Ｏｎｌｙ  Ｍｅｍｏｒｙ）３１Ａと、ＲＡＭ（Ｒａｎｄｏｍ  Ａｃｃｅｓｓ  Ｍｅｍｏｒｙ）３１Ｂと、不揮発性のメモリ３１Ｃと、ＣＰＵ（Ｃｅｎｔｒａｌ  Ｐｒｏｃｅｓｓｉｎｇ  Ｕｎｉｔ)３１Ｄと、を有する。
【００１６】
そして、複数のＨＤＤ装置が接続可能な接続端子であるハブ４０を介した接続端子１７には、ユーザーが取り外し自在な、いわゆる外付けの第２の記録装置であるＨＤＤ装置４２が接続されている。なお、さらにハブを介することによりテレビ１０には例えば、最大８台のＨＤＤ装置が接続可能である。
【００１７】
なお、テレビ１０では、ＨＤＤ装置４１はキャビネット１１の内部に収納された内蔵型であるが、全てのＨＤＤ装置が外付け型であってもよい。
【００１８】
なお、テレビ１０は、磁気ディスクを搭載したＨＤＤ装置４１と同様に、フラッシュメモリを搭載したソリッドステートドライブ装置（ＳＳＤ装置）を接続し、ＨＤＤ装置４１と同様に録画を行うこともできる。また、上書き録画可能な光ディスク媒体を着脱可能な光ディスク記録装置を録画装置として用いることもできる。
【００１９】
アンテナ２１は、地上波デジタル放送、ＢＳデジタル放送およびＣＳデジタル放送等を受信する。アンテナ２１が受信した放送信号は、入力端子２２を介して、複数のチューナ２３Ａ〜２３Ｃを有するチューナユニット２４に入力される。以下、それぞれのチューナをいうときはチューナ２３という。チューナ２３は、制御部３１の制御により所定のチャンネルの放送信号を地上波デジタル放送、ＢＳデジタル放送またはＣＳデジタル放送から選局し、選局したチャンネルの放送信号を復調処理し、所望の番組を含んだＴＳ（Ｔｒａｎｓｐｏｒｔ  Ｓｔｒｅａｍ）をＴＳ処理部２５に入力する。復調処理は、地上デジタル放送の場合にはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調であり、ＢＳデジタル放送およびＣＳデジタル放送の場合にはＰＳＫ（Ｐｈａｓｅ  Ｓｈｉｆｔ  Ｋｅｙｉｎｇ）復調である。
【００２０】
ＴＳ処理部２５は、入力された複数のＴＳを１つのＴＳに再多重して、信号処理部２６に出力する。
【００２１】
また、ＴＳ処理部２５は、録画を行う場合には、複数のＴＳを１つのＴＳに再多重して、信号処理部２６に出力する。
【００２２】
信号処理部２６は、ＴＳ処理部２５から出力された複数のチャンネルのＴＳが多重されたＴＳにデジタル信号処理を行う。デジタル信号処理が行われたデジタル放送信号は、データ信号、映像信号および音声信号に分離される。そして映像信号はグラフィック処理部２７に、音声信号は音声処理部２９に、データ信号はＯＳＤ信号生成部２８または制御部３１に、それぞれ出力される。また、ＴＳ処理部２５によって再多重されたＴＳは、録画するために制御部３１に出力される。
【００２３】
ここで、データ信号には、放送番組に関する時刻（時間帯）情報およびＥＰＧ情報等の各種の情報が含まれている。時刻情報としては、日本の地上デジタル放送においては、社団法人電波産業会（ＡＲＩＢ）の標準規格であるＡＲＩＢ  ＳＴＤ−Ｂ１０で番組配列情報のテーブルとして、時刻日付テーブル（ＴＤＴ：Ｔｉｍｅ  ａｎｄ  Ｄａｔｅ  Ｔａｂｌｅ）と、サマータイム実施時のオフセット時間情報を含む時刻日付オフセットテーブル（ＴＯＴ：Ｔｉｍｅ  Ｏｆｆｓｅｔ  Ｔａｂｌｅ）とが定められており、これらのテーブルにより日本標準時（ＪＳＴ＝協定世界時（ＵＴＣ）＋９）と修正ユリウス日（ＭＪＤ）による現在日付と現在時刻とが伝送される。また、ＥＰＧ情報には、チャンネル情報と、チャンネル番号と、番組名と、スケジュール等と、が含まれる。
【００２４】
なお、これらの情報は録画時には付加情報として録画データに付加される。また、付加情報は制御部３１のメモリ３１Ｃに録画データと対応付けて記録されてもよい。
【００２５】
グラフィック処理部２７は、信号処理部２６から出力される映像信号のデコード処理を行う。デコードされた映像信号は、ＯＳＤ信号生成部２８から出力されたＯＳＤ信号と重ね合わせ合成され、映像処理部３０に出力される。グラフィック処理部２７は、デコードされた映像信号またＯＳＤ信号を、映像処理部３０に選択的に出力することもできる。
【００２６】
ＯＳＤ信号生成部２８は、制御部３１の制御により、ＵＩ（ユーザ・インタフェース）画面などを表示するためのＯＳＤ信号を生成する。また上述の信号処理部２６において、デジタル放送信号から分離されたデータ信号は、ＯＳＤ信号生成部２８により適切なフォーマットのＯＳＤ信号に変換され、グラフィック処理部２７に出力される。
【００２７】
音声処理部２９は、信号処理部２６から入力された音声信号を、スピーカ１４で再生可能なフォーマットのアナログ音声信号に変換する。アナログに変換された音声信号は、スピーカ１４に出力されて再生される。映像処理部３０は、グラフィック処理部２７から出力された信号を、映像表示部１３で表示可能なフォーマットのアナログ映像信号に変換する。アナログに変換された映像信号は、映像表示部１３に出力される。
【００２８】
制御部３１のＲＯＭ（３１Ａ）は、ＣＰＵ（３１Ｄ）が実行するシステム制御プログラムおよび各種処理プログラムを格納するメモリであり、ＲＡＭ（３１Ｂ）は、ＣＰＵ（３１Ｄ）が各種プログラムを展開するための、いわゆるワーキングメモリである。
【００２９】
制御部３１は、リモコン１５から送信され受信部３２を介して受信される操作信号等に応じて、ＲＯＭ（３１Ａ）に予め記録されたシステム制御プログラムおよび各種処理プログラムを起動する。制御部３１は、起動したプログラムに従って、ＲＡＭ（３１Ｂ）をワークメモリとして装置各部および接続された記録装置（ＨＤＤ装置）の動作を制御する。
【００３０】
不揮発性のメモリ３１Ｃは、各部の動作制御に必要な各種の設定情報、制御情報および後述する視聴傾向情報等を記録する。ＲＡＭ３１Ｂおよびメモリ３１Ｃは、一時的な記録媒体である。
【００３１】
テレビ１０は、ユーザーのリモコン操作により、選局されたチャンネルの放送番組をリアルタイムで映像表示部１３およびスピーカ１４に出力する通常の放送受信機能だけでなく、いわゆるマルチチャンネル同時ループ録画機能を備えている。マルチチャンネル同時ループ録画機能とは、連続入力される複数のチャンネルの放送番組の録画データを、接続されたＨＤＤ装置に自動的に録画する機能である。このため、ユーザーは放送番組を放送時間に関係なく視聴したいときに視聴することができる。
【００３２】
図３に示すように、ＨＤＤ装置４１は、６つのセグメント５１〜５６に分割されたループ録画領域５０を有する。なお、ループ録画領域の分割数は、それぞれのセグメントが例えば１時間の画像データが記録可能なように、より細分化されていることが好ましいが、説明の都合上、セグメント５１〜５６には、１２時間の画像データが記録可能とする。ＨＤＤ装置４１には、３チャンネルの放送番組を、それぞれ２４時間録画可能である。
【００３３】
ここで、ループ録画を行うチャンネルはユーザーが適宜、設定可能である。すなわち、チューナユニット２４が受信する放送波または通信Ｉ／Ｆ（３７）等を介して入力されるインターネット放送等から、所望のチャンネルが選択され、登録される。
【００３４】
すでに説明したように、ループ録画では記録時間帯が古いセグメントのデータが消去処理され、そのセグメントに新しいデータが記録処理される。ＨＤＤ装置４１は、いわゆる上書き記録が可能であるため、古いデータの消去処理と新しいデータの記録処理とは同時に行われる。上書き記録ができないＳＳＤ装置等では、古いデータの消去処理の後に新しいデータの記録処理が行われる。
【００３５】
図３に示すＨＤＤ装置４１では、ループ録画領域５０には、連続入力される放送番組のデータが、セグメント単位で順に上書き記録が繰り返し行われる。例えば、チャンネル１のデータは、最初の、１２時間のデータＡはセグメント５１に記録されていく。セグメント５１が全て記録されると、次の１２時間のデータＢはセグメント５２に記録される。そして、セグメント５２も全て記録されると、次の１２時間のデータＣは、セグメント５１に記録されていたデータを消去しながら上書き記録される。
【００３６】
このため、ＨＤＤ装置４１には、常に最新の過去２４時間のチャンネル１〜３の録画データが全て記録されている。
【００３７】
ここで、図４に示すように、テレビ１０に外付けのＨＤＤ装置４２が接続されると、より長時間のループ録画が可能となる。例えば、ＨＤＤ装置４２の容量がＨＤＤ装置４１の容量と同じ場合には、３チャンネルの放送番組を、それぞれ４８時間、録画可能となったり、６チャンネルの放送番組を、それぞれ２４時間、録画可能となったりする。
【００３８】
すなわち、ＨＤＤ装置４１のセグメント５２が全て記録されると、ＨＤＤ装置４２のループ録画領域６０のセグメント６１に次の１２時間のデータＣが記録される。さらに、セグメント６１が全て記録されると、次の１２時間のデータＤがセグメント６２に記録される。そして、セグメント６２も全て記録されると、次の１２時間のデータＥは、セグメント５１に記録されていたデータを消去しながら上書き記録される。
【００３９】
セグメント６２にデータＤが全て記録されたとき、データＤは過去１２時間の時間帯のデータである。また、データＣは２４時間前から１２時間前の時間帯のデータであり、データＢは３６時間前から２４時間前の時間帯のデータであり、データＡは４８時間前から３６時間前の時間帯のデータである。
【００４０】
すなわち、ＨＤＤ装置４１、４２には、常に最新の過去４８時間のチャンネル１〜３の録画データが全て記録されている。
【００４１】
ここで、ＨＤＤ装置４１、４２のループ録画領域５０、６０の複数のセグメントにデータを記録する順番は一定とは限らない。例えば、図４に示すように、チャンネル２では、最新の時間帯のデータＤがＨＤＤ装置４１のセグメント５４に記録されているが、その前の時間帯のデータＣはＨＤＤ装置４２のセグメント６４に記録されている。これは記録装置の耐久性改善のため、または、ユーザーによるループ録画対象となるチャンネル選択の変更処理等が行われるためである。
【００４２】
このため、図５に示すように、２台のＨＤＤ装置４１、４２によりループ録画を行っている状態のテレビ１０から、ＨＤＤ装置４２の接続が単純に解除されると、残ったＨＤＤ装置４１に記録されているデータは、各チャンネルの新しい時間帯のデータＣ、Ｄではないことがある。
【００４３】
この問題を解決するために、テレビ１０では、ユーザーから、ＨＤＤ装置４２の接続を解除する指示が入力されると、制御部３１が、ＨＤＤ装置４１、４２の各セグメントに記録されているデータの付加情報の録画時間帯を比較し、その結果に応じて、第２の記憶装置であるＨＤＤ装置４２に記録されていた新しい時間帯（第２時間帯）のデータを、第１の記憶装置であるＨＤＤ装置４１の古い時間帯（第１時間帯）のデータのセグメントに上書きする転送処理を行う。なお、各データの録画時刻（録画時間帯）の情報は付加情報として例えばメモリ３１Ｃに記録されている。
【００４４】
例えば、図６に示すように、制御部３１はセグメント５３に記録されていたデータＢを消去処理しながら、セグメント６３に記録されていたデータＤを記録処理（上書き処理）する。さらに制御部３１はセグメント５６に記録されていたデータＡを消去処理しながら、セグメント６６に記録されていたデータＣを記録処理（上書き処理）する。
【００４５】
上記転送処理の結果、図６の右側に示すように、残ったＨＤＤ装置４１に記録されているデータは、各チャンネルの新しい時間帯のデータＣ、Ｄとなる。
【００４６】
ここで、図７のフローチャートに従い、テレビ１０の制御方法について詳細に説明する。
【００４７】
＜ステップＳ１０＞
すでに説明したように、テレビ１０は、記録装置のループ録画領域に、入力される放送番組のデータをセグメント単位で順に上書き記録を繰り返すループ録画を行う録画装置である。
【００４８】
第１の記録装置であるＨＤＤ装置４１と第２の記録装置であるＨＤＤ装置４２とが接続されている状態において、ユーザーから、ＨＤＤ装置４２の登録を解除する指示、すなわち、取り外し指示があるまで（Ｙｅｓ）は、通常のループ録画が行われる。
【００４９】
＜ステップＳ１１＞
取り外し指示があると（Ｓ１０：Ｙｅｓ）、制御部３１は、ＨＤＤ装置４１の複数のセグメント５１〜５６に録画されているデータの時間帯情報と、ＨＤＤ装置４２の複数のセグメント６１〜６６に録画されているデータの時間帯情報と、を比較する。
【００５０】
＜ステップＳ１２＞
ＨＤＤ装置４２に録画されているデータの時間帯情報が、ＨＤＤ装置４１に録画されているデータの時間帯情報よりも新しい場合（Ｙｅｓ）、制御部３１は、転送処理、すなわち、ＨＤＤ装置４１のセグメントの消去処理およびＨＤＤ装置４２のデータの記録処理が必要と制御部３１は、判断する。これに対して、ＨＤＤ装置４１に録画されているデータの時間帯情報がＨＤＤ装置４２に録画されているデータの時間帯情報よりも新しい場合（Ｎｏ）には、ステップＳ１５からの処理が行われる。
【００５１】
＜ステップＳ１３＞
ＨＤＤ装置４１の録画時間帯の古い録画データを消去したセグメント５３、５６に、ＨＤＤ装置４２のセグメント６３、６６に録画されている新しい録画時間帯のデータの転送処理が開始される。
【００５２】
＜ステップＳ１４＞
データの転送処理に時間がかかる場合もある。転送処理が完了するまで（Ｎｏ）、制御部３１は待機する。
【００５３】
＜ステップＳ１５＞
データの転送処理が完了すると（Ｓ１４：Ｙｅｓ）、制御部３１は、ＨＤＤ装置４２を物理的に取り外し可能であることを、ユーザーに告知する。すなわち、例えば、映像表示部１３に「取り外しできます」と表示する。
【００５４】
以上の説明のように、本実施形態の録画装置であるテレビ１０では、外付け型のＨＤＤ装置４２の接続が解除されても、残った内蔵型のＨＤＤ装置４１に記録されているデータは、各チャンネルの新しい時間帯のデータＣ、Ｄである。
【００５５】
このため、テレビ１０は利便性がよい。また本実施形態の録画装置の制御方法は利便性がよい。
【００５６】
＜第２実施形態＞
次に第２実施形態の録画装置であるテレビ１０Ａおよび、その制御方法について説明する。テレビ１０Ａはテレビ１０と類似しているので、同じ構成要素には同じ符号を付し、説明は省略する。
【００５７】
テレビ１０の制御部３１は、録画データの付加情報として録画時間帯を用いて、ＨＤＤ装置４１の録画時間帯が古い第１時間帯のセグメントのデータを消去処理し、ＨＤＤ装置４２の録画時間帯が新しい第２時間帯のセグメントのデータをＨＤＤ装置４１に記録処理する転送処理を行った。
【００５８】
これに対して、テレビ１０Ａの制御部３１は、録画データの付加情報としてチャンネル情報を用いて、ＨＤＤ装置４１の所定の第１のチャンネルのセグメントのデータを消去処理し、ＨＤＤ装置４２の所定の第２のチャンネルのセグメントのデータをＨＤＤ装置４１に記録処理する転送処理を行う。
【００５９】
テレビ１０Ａでは、ユーザーから、ＨＤＤ装置４２の接続を解除する指示があると、制御部３１は例えば、映像表示部１３に図８に示す選択指示入力画面を表示する。
【００６０】
ユーザーは、希望のチャンネル番号を、リモコン操作により選択する。図８に示す例では、強調表示されたｃｈ１が選択されたチャンネルである。なお、図８において、ｃｈ４およびｃｈ５はループ録画されていないことを示している。
【００６１】
ユーザーによるチャンネル選択指示を受けて、制御部３１は、ＨＤＤ装置４１のｃｈ２およびｃｈ３のセグメントのデータを消去処理し、ＨＤＤ装置４２のｃｈ１のセグメントのデータをＨＤＤ装置４１に記録処理する転送処理を行う。
【００６２】
なお、ＨＤＤ装置４１の記録容量に余裕がある場合には、選択されなかったｃｈ２およびｃｈ３のデータを残しておいてもよい。
【００６３】
すなわち、図９に示すように、制御部３１は、ＨＤＤ装置４１のセグメント５４、５６に、ＨＤＤ装置４２のセグメント６１、６２のデータを上書き処理する。
【００６４】
このため、テレビ１０Ａでは、外付け型のＨＤＤ装置４２の接続が解除されても、残った内蔵型のＨＤＤ装置４１には、選択されたｃｈ１の４８時間のデータが記録された状態である。
【００６５】
本実施形態の録画装置であるテレビ１０Ａおよびその制御方法は、テレビ１０等が有する効果を有し、さらにユーザーの希望するチャンネルのデータが長時間、視聴可能であるため、より利便性が高い。
【００６６】
なお、上記説明では、ユーザーが選択指示入力画面においてｃｈ１のみを選択した場合について説明した。もしユーザーがｃｈ１およびｃｈ２を選択した場合には、ＨＤＤ装置４１に過去４８時間の全てのデータ（Ａ〜Ｄ）を転送することができない。
【００６７】
このため、最初に、制御部３１は、ＨＤＤ装置４１に記録可能なデータ量と、ＨＤＤ装置４２に記録されているデータ量とを比較する。そして、比較結果に応じて、ＨＤＤ装置４１に記録可能なデータ量以下となるように、選択されたｃｈ１およびｃｈ２のデータの中から、時間帯が新しいセグメントのデータを優先的に転送処理する。
【００６８】
すなわち、図１０に示すように、制御部３１は、ＨＤＤ装置４１のセグメント５５、５６に、ＨＤＤ装置４２のセグメント６２、６３のデータを上書き処理する。
【００６９】
このため、外付け型のＨＤＤ装置４２の接続が解除されても、残った内蔵型のＨＤＤ装置４１には、選択されたｃｈ１およびｃｈ２の３６時間のデータが記録された状態である。
【００７０】
＜第３実施形態＞
次に第３実施形態の録画装置であるテレビ１０Ｂおよび、その制御方法について説明する。テレビ１０Ｂはテレビ１０と類似しているので、同じ構成要素には同じ符号を付し、説明は省略する。
【００７１】
テレビ１０Ｂでは、各セグメントは１時間の録画が可能なサイズであり、ＨＤＤ装置４１、４２のループ録画領域５０、６０は、それぞれ７２個のセグメントに分割されている。
【００７２】
そして、ユーザーは選択指示入力画面において、録画時間帯を１時間単位で選択することができる。
【００７３】
図１１に示す選択指示入力画面では、１８：００〜２１：００が、ポインタ１３Ａを用いて特定の時間帯として選択されている状態を示している。
【００７４】
そして、制御部３１は、３つのチャンネルの時間帯が１８：００〜２１：００の４セグメントが、内蔵型のＨＤＤ装置４１にある状態になるように転送処理を行う。
【００７５】
本実施形態の録画装置であるテレビ１０Ｂおよびその制御方法は、テレビ１０等が有する効果を有し、さらにユーザーの希望する時間帯のデータが長時間、視聴可能であるため、より利便性が高い。
【００７６】
なお、図１１に示す選択指示入力画面には、「ＡＵＴＯ」ボタンも表示されている。これは、制御部３１が自動的にユーザーの過去の視聴傾向に応じて、ユーザーに適したチャンネルおよび時間帯のデータを内蔵型のＨＤＤ装置４１に転送するモードを選択するボタンである。
【００７７】
すなわち、視聴されたチャンネルおよび時間帯を記録する使用状態記録部としてのメモリ３１Ｃに記録しておき、制御部３１が、使用状態記録部に記録される視聴傾向と、付加情報と、に応じて、転送するセグメントのデータを自動的に選択してもよい。
【００７８】
なお、以上では２台のＨＤＤ装置４１、４２が接続されている状態から、ＨＤＤ装置４２の接続を解除する場合を例に説明した。しかし、３台以上のＨＤＤ装置が接続されている状態から１台または２台以上のＨＤＤ装置の接続を解除する場合であっても、上記説明と同様の制御を行うことにより、同様の効果が得られることは明らかである。
【００７９】
なお、以上では、本発明の実施形態を説明したが、この実施形態は、例として提示したものであり、発明の範囲を限定することは意図していない。実施形態は、その他の様々な形態で実施されることが可能であり、発明の要旨を逸脱しない範囲で、種々の省略、置き換え、変更を行うことができる。実施形態は、発明の範囲や要旨に含まれるとともに、特許請求の範囲に記載された発明とその均等の範囲に含まれる。
【符号の説明】
【００８０】
１０、１０Ａ、１０Ｂ…テレビ、１１…キャビネット、１２…支持台、１３…映像表示部、１３Ａ…ポインタ、１４…スピーカ、１５…リモコン、１６…受信部、１７…接続端子、２１…アンテナ、２２…入力端子、２３…チューナ、２４…チューナユニット、２５…ＴＳ処理部、２６…信号処理部、２７…グラフィック処理部、２８…ＯＳＤ信号生成部、２９…音声処理部、３０…映像処理部、３１…制御部、３２…受信部、４０…ハブ、４１…第１のＨＤＤ装置、４２…第２のＨＤＤ装置、５０、６０…ループ録画領域
【図１】
2013012857.tif 000003
【図２】
2013012857.tif 000004
【図３】
2013012857.tif 000005
【図４】
2013012857.tif 000006
【図５】
2013012857.tif 000007
【図６】
2013012857.tif 000008
【図７】
2013012857.tif 000009
【図８】
2013012857.tif 000010
【図９】
2013012857.tif 000011
【図１０】
2013012857.tif 000012
【図１１】
2013012857.tif 000013